(57)【要約】【課題】  導光板を使用した多数乃至複数の照明単位体を壁面等に隣接配置して，その光源支持ベース，ハウジングの起立片等の影によって生じる照明単位体間の線状暗部を解消して，連続照明面を形成する。【解決手段】  光拡散機能を有する正面板を備えた外側ケース１に，起立１２片に多数のＬＥＤ光源１４を配置したハウジング１０に導光板２０を収納した導光ユニット２を挿入配置して単位照明体Ａを構成する。このとき導光板２０の上記光源１４に対面する入射端面２１に導光面と面一にして下面を上向きに傾斜した断面レ字状の張出導光部２２を配置し該張出導光部２２によってハウジング１０の起立片１２や光源ベース１３を被覆する。張出導光部２２によって単位照明体Ａの全面照明が確保され，その隣接配置による起立片１２等の影のない連続照明面を得られる。【選択図】  図３
2007287339.tif 000002
【特許請求の範囲】
【請求項１】
複数乃至多数を隣接配置して連続照明面を形成するように使用する照明単位体の導光板であって，外周の一部又は全部の端面に導光面を外方張出状に拡大する上方一体の張出導光部を配置してなることを特徴とする隣接配置用照明単位体の導光板。
【請求項２】
上記張出導光部を，外周の一部にして入射端面に配置してなることを特徴とする請求項１に記載の隣接配置用照明単位体の導光板。
【請求項３】
上記張出導光部の下面に反射面を配置してなることを特徴とする請求項１又は２に記載の隣接配置用照明単位体の導光板。
【請求項４】
上記張出導光部を，外方に向けて下面を上向き傾斜した断面倒Ｖ字状乃至レ字状としてなることを特徴とする請求項１，２又は３に記載の隣接配置用照明単位体の導光板。
【請求項５】
複数乃至多数を隣接配置して連続照明面を形成するように使用する照明単位体であって，該照明単位体における導光板の外周の一部又は全部の端面に導光面を外方張出状に拡大する上方一体の張出導光部を配置し，該張出導光部によって導光板に入射光を供給する光源の設置ベース乃至導光板ハウジングの上端をカバーしてなることを特徴とする隣接配置用照明単位体。
【発明の詳細な説明】
【技術分野】
【０００１】
本発明は，例えば建築物の壁面を連続照明するに好適に用いられる隣接配置用照明単位体の導光板及びこれを用いた隣接配置用照明単位体に関する。
【背景技術】
【０００２】
この種導光板を用いた照明体は，例えば液晶バックライトとして多用されており，この場合，一般に下面に導光パターンを形成した導光板と，該導光板の下面に配置した反射板等の反射面と，導光板の上面に配置した拡散板等の拡散面と，導光板の入射端面に隣接したＬＥＤ，冷陰極蛍光灯等の光源とを備えたものとされ，光源からの入射光を導光板に入射して導光パターンによって導光板の上面，即ち導光面から出光して拡散板を介して面発光を行うものとされている。
【０００３】
【特許文献１】特開２００４−１５２５５５号公報
【発明の開示】
【発明が解決しようとする課題】
【０００４】
導光板は，上記液晶バックライトの他，例えばディスプレー，看板等にも使用され，この場合もその基本構造は液晶バックライトの場合と変らないが，更に該導光板を用いた照明単位体を形成し，これを多数隣接配置することによって，例えば建築物の壁面，床面，天井面等の連続照明も可能となり，また天井に複数隣接配置することによって蛍光灯等に代る照明器具として使用することも可能となる。
【０００５】
しかし乍ら，導光板を使用した照明単位体を形成し，これを隣接配置すると，照明単位体間に線状暗部が出現するのを避け得ない。即ち導光板を使用することによって，照明単位体は該導光板，反射板，拡散板，光源等を支持したものとなるから，例えばボックス状のハウジングにこれらを収納した形態となるし，仮に平板を用いて導光板を配置しても，光源を該導光板に臨設するについては，導光板に平行に該光源の支持ベースを設置するために，これらハウジングにおける立上り片や光源の支持ベースが隣接する照明単位体間に位置して，これらの影が照明単位体の照明面端部に該照明面を仕切るように現れることによって上記線状暗部が形成されることになる。該線状暗部が生じると，隣接相互の照明単位体が該暗部によって分断された外観を呈して，照明単位体によって連続照明面を形成することを意図しても，照明単位体毎の分断配置の照明面が形成され外観を損う結果になる。
【０００６】
本発明はかかる事情に鑑みてなされたもので，その解決課題とするところは，隣接配置する照明単位体間の線状暗部を解消して照明単位体による連続照明を行うに適した隣接配置用照明単位体の導光板を提供するにあり，また該導光板を用いた隣接配置用照明単位体を提供するにある。
【課題を解決するための手段】
【０００７】
上記課題に沿って本発明は，導光板にその導光面（表面又は照明面といってもよい）を外方張出状に拡大する一体の張出導光部を配置し，該一体の張出導光部が導光を行い，照明単位体の全面を照明できるようにして隣接配置の照明単位体の線状暗部のない連続照明を可能とするようにしたものであって，即ち請求項１に記載の発明を，複数乃至多数を隣接配置して連続照明面を形成するように使用する照明単位体の導光板であって，外周の一部又は全部の端面に導光面を外方張出状に拡大する上方一体の張出導光部を配置してなることを特徴とする隣接配置用照明単位体の導光板としたものである。
【０００８】
請求項２に記載の発明は，入射光を供給するに不可欠な光源の支持ベース乃至ハウジングの支持用起立片の設置部分のみに張出導光部を配置することによって，可及的に少ない張出導光部の配置によって照明単位体の全面を照明し得るように，これを，上記張出導光部を，外周の一部にして入射端面に配置してなることを特徴とする請求項１に記載の隣接配置用照明単位体の導光板としたものである。
【０００９】
請求項３に記載の発明は，上記張出導光部の下面に反射シート等の反射面を配置することによって，該張出導光部の入射光のロスを防止して該張出導光部における導光を促進して，照明単位体の全面を導光面と変らない可及的均一な輝度とし得るように，これを，上記張出導光部の下面に反射面を配置してなることを特徴とする請求項１又は２に記載の隣接配置用照明単位体の導光板としたものである。
【００１０】
請求項４に記載の発明は，上記張出導光部の断面形状を導光板の端面から倒Ｖ字状乃至レ字状に突出する形態とすることによって，張出導光部の乱反射を有効に確保して該張出導光部における導光を促進して，同じく照明単位体の全面を導光面と変らない可及的均一な輝度とし得るように，これを，上記張出導光部を，外方に向けて下面を上向き傾斜した断面倒Ｖ字状乃至レ字状としてなることを特徴とする請求項１又は２に記載の隣接配置用照明単位体の導光板としたものである。
【００１１】
請求項５に記載の発明は，建築物の壁面，床面，天井面等の連続照明を行い，また天井に複数隣接配置することによって蛍光灯等に代る照明器具として使用し得る導光板を用いた照明単位体を提供するように，これを，複数乃至多数を隣接配置して連続照明面を形成するように使用する照明単位体であって，該照明単位体における導光板の外周の一部又は全部の端面に導光面を外方張出状に拡大する上方一体の張出導光部を配置し，該張出導光部によって導光板に入射光を供給する光源の設置ベース乃至導光板ハウジングの上端をカバーしてなることを特徴とする隣接配置用照明単位体としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，導光板にその導光面を外方張出状に拡大する一体の張出導光部を配置し，該一体の張出導光部が導光を行い，照明単位体の全面を照明できるようにして隣接配置の照明単位体の線状暗部のない連続照明を可能とするようにした隣接配置用照明単位体の導光板を提供することができる。
【００１４】
請求項２に記載の発明は，請求項２に記載の発明は，入射光を供給するに不可欠な光源の支持ベース乃至ハウジングの支持用起立片の設置部分のみに張出導光部を配置することによって，可及的に少ない張出導光部の配置によって照明単位体の全面を照明し得るものとすることができる。
【００１５】
請求項３に記載の発明は，上記張出導光部の下面に反射面を配置することによって，該張出導光部の入射光のロスを防止して該張出導光部における導光を促進して，照明単位体の全面を導光面と変らない可及的均一な輝度とし得るものとすることができる。
【００１６】
請求項４に記載の発明は，上記張出導光部の断面形状を導光板の端面から倒Ｖ字状乃至レ字状に突出する形態とすることによって，張出導光部の乱反射を有効に確保して該張出導光部における導光を促進して，同じく照明単位体の全面を導光面と変らない可及的均一な輝度とし得るものとすることができる。
【００１７】
請求項５に記載の発明は，建築物の壁面，床面，天井面等の連続照明を行い，また天井に複数隣接配置することによって蛍光灯等に代る照明器具として使用し得る導光板を用いた照明単位体を提供することができる。
【発明を実施するための最良の形態】
【００１８】
以下図面の例に従って本発明を更に具体的に説明すれば，Ａは，例えば建物の壁面に多数を隣接配置して連続照明面を形成するように使用する照明単位体であり，該照明単位体Ａは，外側ケース１と，該外側ケース１内に配置した導光ユニット（導光モジュールと称してもよい）２とを備えたものとしてある。
【００１９】
本例にあって外側ケース１は，例えば表面を樹脂板，３側面を金属板乃至樹脂板，裏面に図示省略の放熱用透孔を配置したアルミ等の金属板によって，平面方形にして１側面を開口した，厚肉タイル状にして一体又は表面の樹脂板を着脱自在に形成したボックス体とし，例えば建物の壁面に設置した胴縁，床スラブ面又はこれに設置した根太，天井に設置した野縁に対して裏面をネジ，ブラケット等の金具や接着の適宜な固定手段を用いて固定することによって照明単位体Ａを壁面，床面，天井面等に設置し得るようにしてあり，このとき外形寸法を，例えば建築のモジュールに合わせることによって可及的にその固定及び納まりを効率よく良好になし得るようにしてある。
【００２０】
本例にあって上記外側ケース１における上記表面の樹脂板は，これを，例えば透明乃至半透明樹脂を用いて光透過性のものとするとともにこれら透明乃至半透明樹脂の樹脂板を粗面化することによって光拡散機能を付与し，該表面の樹脂板をケース構成要素とするとともに拡散面としての拡散板を兼用し，上記導光ユニット２に該拡散面の設置を省略したものとしてある。
【００２１】
該導光ユニット２は，ハウジング１０と，該ハウジング１０に配置した導光板２０と，ハウジング１０の起立片１２の内側に固定した支持ベース１３に配置した光源１４とを備えるとともに，本例にあっては反射面２５を上記導光板２０の裏面に備えたものとしてあり，該導光ユニット２は，これを，上記外側ケース１に，その１側面の開口からスライド挿入し，必要に応じてその固定を行うようにしてある。
【００２２】
本例にあって上記ハウジング１０は，これを，両端を開放した外側ケース１と略同等の面積の基板１１と外側ケース１の内法高さより高さを低く設定した起立片１２とを備えた上向き開口の断面コ字状に形成した成形板乃至組立て固定した樹脂乃至金属によるものとし，該外側ケース１に対してスライド挿入乃至挿入固定を可能としたものとしてある。
【００２３】
該ハウジング１０には，その両側の起立片１２の対向面，即ち内側面に上記光源１４を配置してあり，本例にあって該光源１４は，これを高輝度チップＬＥＤとしてあり，該光源１４としたチップＬＥＤは，その回路を配置した上記起立片１２の長さに合せ且つ高さを起立片１２よりやや低くし形成したチップ基板に支持し，該チップ基板を光源１４の支持ベース１３としてこれを起立片１２にそれぞれ固定することによって該光源１４をハウジングにその内側対向方向に向けて配置してある。
【００２４】
導光板２０は，光透過性の良好なアクリル等の透明樹脂を用いて，例えば射出成形することによって表面及び外周端面を鏡面として一体に形成するとともに同じく鏡面とした裏面には，上記射出成形時に一体に成形し又はスクリーン印刷した，例えばドットパターン等の図示省略の導光パターンを形成し，本例にあって対向する一方の端面を入射端面とし，同じく対向する他方の端面を反射端面とし，その厚さを上記ハウジング１０における起立片１２の起立高さよりやや高くした厚肉の平板によるものとしてあり，このとき該導光板２０の裏面及び上記対向する反射端面にはこれらの全面を覆うように上記反射面２５を形成してあり，本例にあって該反射面２５は，導光板２０とは別体の反射板乃至反射シート，例えば高反射率を呈する発泡ポリエステル樹脂等の白色シートを接着等の固定手段によって固定配置してある。
【００２５】
このとき導光板２０は，その外周の一部又は全部の端面に導光面を外方張出状に拡大する上方一体の張出導光部２２を配置したものとしてあり，本例にあって該張出導光部２２は，これを，上記導光板２０における外周の一部にして上記対向する入射端面２１に配置してある。
【００２６】
即ち上記光源１４を上記対向配置したことによって導光板２０には対向する入射端面２１を配置したことによって張出導光部２２は，これを各入射端面２１に，その上方，本例にあっては上端から導光面と面一にして外方に向けて張出突出してその配置を行ってある。
【００２７】
該張出導光部２２は，上記導光板２０の射出成型時にこれを一体成型することによって該導光板２０に一体に配置してある。このとき張出導光板部２２は，これを導光板２０の他の面と同様に鏡面として，入射端面２１，特に対向する他方の入射端面２１からの入射光を受入れて該張出導光部２２においても鏡面反射を行ってその導光とこれによる上面に向けた照明を行うようにしてある。
【００２８】
本例にあって上記張出導光部２２は，これを，外方に向けて下面を上向き傾斜した断面倒Ｖ字状乃至レ字状，特に上記導光面と面一をなすレ字状としてあり，また該張出導光部２２の下面に反射面２５を配置したものとしてある。即ち張出導光部２２は，その断面形状を方形，矩形，円形，楕円形等とすることが可能であるが，上記断面倒Ｖ字状乃至レ字状とすることによって該張出導光部２２の下面を外方に向けて上向き傾斜する傾斜面として，該張出導光部２２に至った入射光の乱反射を有効に確保して，該張出導光部２２における導光を促進し得るようにし，また反射面２５を形成することによって，該張出導光部２２の入射光のロスを防止して，同じく該張出導光部２２における導光を促進し得るようにして，該張出導光部２２を含めて照明単位体の全面を可及的均一な輝度として，連続照明に特に好適なものとしてある。
【００２９】
このとき張出導光部２２は，上記ハウジング１０の起立片１２よりやや厚肉とした導光板２０の端面，本例にあっては対向する入射端面２１の上方中間位置から傾斜面を上向きとし，該傾斜面が，上記起立片１２よりやや肉厚とした導光板２０の導光面の延長線と交差するように配置し，該張出導光部２２を上記導光面と面一をなす上記断面レ字状のものとしてある。
【００３０】
導光板２０は，その対向する入射端面２１をハウジング１０の光源１４，本例にあっては上記高輝度チップＬＥＤと対面し，該光源１４が入射端面２１に臨設する状態とするようにハウジング１０に収納配置して上記導光ユニット２を形成するものとしてあり，このとき該導光板２０の張出導光部２２が，導光板２０に入射光を供給する光源１４の設置ベース１３上端，本例にあってはＬＥＤ基板の上端及びハウジング１０の上端，本例にあってはその上記起立片１２の上端をカバーしてある。
【００３１】
即ち光源１４の設置ベース１３をなすＬＥＤ基板は起立片１２よりやや低い高さを有するから該ＬＥＤ基板は起立片１２と段差をなして配置される一方，導光板２０はその肉厚を起立片１２よりやや高くなるように設定するとともにその張出導光部２２を導光面と面一とした断面レ字状としたことによって，ハウジング１０に導光板２０を配置したとき，該張出導光部２２がＬＥＤ基板と起立片１２を被覆するようにその上端を超えてその上位に位置することによってその上記上端のカバーを行ってある。
【００３２】
なお導光板２０はハウジング１０よりやや小さな幅と長さのものとしてあるところ，上記光源１４を配置することによってその幅を略ＬＥＤ基板間の幅に合わせてあり，これによって該導光板２０は該ハウジング１０の起立片１２間に比較的密に嵌合し，本例にあっては特に接着等の固定手段を用いることなく該導光板２０がハウジング１０から離脱しないようにしてある。
【００３３】
このように形成した導光ユニット２は，これを上記外側ケース１にスライド挿入して上記照明単位体Ａを形成するものとしてあり，このときハウジング１０の起立片１２を外側ケース１の内法高さよりその高さを低く設定したことによって導光ユニット２の導光板２０の上面とハウジング１０の，本例にあって拡散面を兼用した表面の樹脂板との間に空隙を形成し，該空隙によって拡散面が導光板２０の照明光を可及的有効に拡散することによって可及的に均一な照明をなし得るようにしてある。
【００３４】
図中１５は光源のリード線，２４は導光板２０の端面に一体成形し又は後付固定して外側ケース１と導光板２０との上記空隙を閉塞するようにした起立閉塞板を示す。
【００３５】
本例の照明単位体Ａは，以上のように形成したから，その全面がその輝度を均一にするように光輝し，隣接配置して対接した照明単位体Ａ，特にその外側ケース１間に，線状暗部はもとより影等の線が現れることなく，壁面を単一の照明体とした如くに極めて好ましい連続照明を行うものとなし得た。
【００３６】
図示した例は以上のとおりとしたが，照明単位体を，上記壁面の他，床面，天井面等に隣接配置して連続照明面を形成し，天井に直列状に隣接配置して蛍光灯等に代わる照明器具として使用すること，照明単位体の表面に模様，文字，これらの組合せ等の表示を行って連続照明面を連続照明装飾面とし，また照明看板，照明ディスプレーとして使用すること，ハウジングを外周４端面に起立片を備えたものとして，導光板の４端面に張出導光部を配置すること，張出導光部を端面の中間位置に導光面と段差をなして配置すること，光源を入射端面に入射光を供給し得る冷陰極蛍光灯，その他適宜のものとすること，外側ケースを上面開口のボックスと拡散機能を有する拡散板とを備えた複数部材で形成すること等を含めて照明単位体，導光板，張出導光部，その反射面，光源及び導光板を収納するハウジング，該ハウジングを装着するケース等の各具体的形状，構造，これらの関係，これらに対する付加等は，上記発明の要旨に反しない限り様々な形態とすることができる。
【図面の簡単な説明】
【００３７】
【図１】照明単位体の部分破断斜視図である。
【図２】照明単位体の分解斜視図である。
【図３】照明単位体の部分縦断面図である。
【符号の説明】
【００３８】
Ａ  照明単位体
１  外側ケース
２  導光ユニット
１０  ハウジング
１１  基板
１２  起立片
１３  支持ベース
１４  光源
１５  リード線
２０  導光板
２１  入射端面
２２  張出導光部
２３  反射端面
２４  起立閉塞板
２５  反射面
【図１】
2007287339.tif 000003
【図２】
2007287339.tif 000004
【図３】
2007287339.tif 000005